(57)【特許請求の範囲】
【請求項１】
建物の入隅部に沿って配置される上面視略Ｌ字状の軒樋継手であって、底壁と前壁と後壁とを一体にして縦断面略Ｕ字状の継手本体を形成すると共に、継手本体の長手方向の両端に軒樋接続部を設け、前壁の上部に上方に行く程後方に位置する傾斜面を設け、上記傾斜面の下部に傾斜面の外面に伝う雨水を集水する凹溝を前壁外面から後方に凹没させて形成し、上記凹溝のうち前壁が屈曲する部位に上記凹溝の集水を継手本体内に流す排水孔を設け、該排水孔は、断面コ字状の凹溝を上面壁と後面壁と下面壁とで構成しており、凹溝の後面壁及び下面壁をそれぞれ穿設するようにして形成したことを特徴とする軒樋継手。
【発明の詳細な説明】
【０００１】
【発明の属する技術分野】
本発明は、建物の入隅部に配置される上面視略Ｌ字状の軒樋継手に関する発明である。
【０００２】
【従来の技術】
従来から、建物の入隅部に沿って配置される上面視略Ｌ字状の軒樋継手は、図９に示すように、底壁２の前端縁に沿って前壁３を立設させると共に底壁２の後端縁に沿って後壁４を立設させて縦断面略Ｕ字状の継手本体１で主体を構成し、上記継手本体１の長手方向の両端に軒樋が接続される軒樋接続部５を設け、前壁３の上部に上方に行く程後方に位置する傾斜面６を設けると共に、上記傾斜面６の下部に傾斜面６の外側に伝う雨水を集水する凹溝７を前壁３外面から後方に凹没させて形成したものである。ここで、軒樋継手は後壁４を建物側に位置させて配置されるのであり、前壁３は前方から見て谷を形成するように屈曲している。なお、図１０は、傾斜面６のうち前壁３が屈曲する部分に面取り部１６を設け、また、上記凹溝７の長手方向の両端部分に凹溝７内に集水された雨水を継手本体１内に流下させる切欠１５を設けた軒樋継手である。
【０００３】
【発明が解決しようとする課題】
上述した構成の軒樋継手にあっては、傾斜面６の外側に伝う雨水は通常、凹溝７に集水されると共に凹溝７内を伝い、上記凹溝７の長手方向の両端部分（図１０の軒樋継手では切欠１５）から継手本体１内に流下されるものであるが、前壁３の屈曲部分近傍の傾斜面６の外側に流下する雨水（図１０の軒樋継手では面取り部１６の外面に流下する雨水）にあっては、前壁３の屈曲する部分に集中して勢いよく流下するものであり、上記集中して勢いよく流下する雨水はしばしば凹溝７を乗り超えてそのまま継手本体１外に流下してしまう（図９，１０矢印Ｈ）といった問題があった。
【０００４】
本発明は上記の点に鑑みてなされたものであり、建物の入隅部に配置される上面視略Ｌ字状の軒樋継手であっても屈曲する前壁の外面に流下する雨水を確実に集水して排水できるようにした軒樋継手を提供することを課題とするものである。
【０００５】
【課題を解決するための手段】
上記課題を解決するために本発明の請求項１に係る軒樋継手は、建物の入隅部に沿って配置される上面視略Ｌ字状の軒樋継手であって、底壁２と前壁３と後壁４とを一体にして縦断面略Ｕ字状の継手本体１を形成すると共に、継手本体１の長手方向の両端に軒樋接続部５を設け、前壁３の上部に上方に行く程後方に位置する傾斜面６を設け、上記傾斜面６の下部に傾斜面６の外面に伝う雨水を集水する凹溝７を前壁３外面から後方に凹没させて形成し、上記凹溝７のうち前壁３が屈曲する部位に上記凹溝７の集水を継手本体１内に流す排水孔８を設け、該排水孔８は、断面コ字状の凹溝７を上面壁７ａと後面壁７ｂと下面壁７ｃとで構成しており、凹溝７の後面壁７ａ及び下面壁７ｃをそれぞれ穿設するようにして形成したことを特徴とする。これにより、傾斜面６の外側を流下する雨水は前壁３の屈曲する部分に集中して勢いよく流下するものであるが、上記雨水が集中する部分である前壁３が屈曲する部位の凹溝７に上記凹溝７の集水を継手本体１内に流す排水孔８を形成したことから、上記集中して流下した雨水は凹溝７内に入るとそのまま排水孔８から継手本体１内に流すことができるものであり、また、傾斜面６の外側を流下する雨水のうち前壁３の屈曲する部位に集中せずに凹溝７内に集水された雨水も上記排水孔８や凹溝７の長手方向の両端部分から継手本体１内に流すことができるものであるから、傾斜面６の外面を流下する雨水は確実に継手本体１内に流すことができるものである。
【０００８】
【発明の実施の形態】
以下、本発明を添付図面に示す実施形態に基づいて説明する。
【０００９】
図１乃至７に本発明の実施の形態の例を示す。図１は軒樋継手の斜視図であり、図４は上面図であり、図５は側面図である。本例の軒樋継手は、底壁２の前端縁に沿って前壁３を立設させると共に底壁２の後端縁に沿って後壁４を立設させた縦断面略Ｕ字状の継手本体１で主体が構成され、上記後壁４を建物側に位置させて（前壁３を建物と反対側の前面側に位置させて）建物の入隅部に沿わせて配置される上面視略Ｌ字状に形成された軒樋継手である。
【００１０】
この継手本体１にあっては、その長手方向の両端に軒樋が接続される軒樋接続部５が設けられている。ここで、本例の軒樋継手に接続される軒樋は、継手本体１の内面に沿って載置されて接続されるものであり、つまり、継手本体１より略一回り小さい断面を有しているものである。具体的には、軒樋は、軒樋底壁と軒樋前壁と軒樋後壁とで形成された縦断面略Ｕ字状の主体である軒樋本体を有すると共に軒樋前壁及び軒樋後壁の上端にそれぞれ耳部を設けて構成したものである。この軒樋接続部５は、継手本体１の内面に積層した軒樋本体の軒樋前壁及び軒樋底壁を挟持する前挟持部１０と、上記軒樋本体の軒樋後壁及び軒樋底壁を挟持する後挟持部１１と、上記軒樋本体の軒樋後壁の耳部（以下、後耳部）を嵌合する後耳嵌合部１２と、上記軒樋本体の軒樋前壁の耳部（以下、前耳部）を嵌合する前耳嵌合部１３とで構成している。なお、この前挟持部１０は継手本体１から突設されて底壁２及び前壁３との間に一定隙間１０ａを形成する板片で構成されている。ここで上記隙間１０ａは継手本体１に接続する軒樋本体が挿入される部位である。また、後挟持部１１も前挟持部１０同様に継手本体１から突設されて底壁２及び後壁４との間に一定隙間１１ａを形成する板片で構成されている。また、後耳嵌合部１２は継手本体１の後壁４の上端に設けた軒樋の後耳部を挿入する隙間１２ａを形成するような断面Ｌ字状の屈曲片で構成されている。なお、この後耳嵌合部１２は、軒樋の後耳部を上記隙間１２ａに挿入し易くさせるように、継手本体１の長手方向の端部に行く程隙間１２ａを大きくするような形状にしてある。また、前耳嵌合部１３は継手本体１の前壁３の上端（後述する傾斜面６の上端）から継手本体１の内方に向けて突設されると共にその突出先端に下方に突出する爪部１３ａを有した板片で構成されている。
【００１１】
上記継手本体１の前壁３にあっては、上記前壁３の上部には上方に行く程後方に位置するような傾斜面６を形成しており、また、上記傾斜面６の下部位置には継手本体１の長手方向に亙って前壁３外面から斜め後方で且つ下方に凹没させた断面コ字状の凹溝７を形成しており、また、上記凹溝７の下部位置には下方に行く程後方に位置して底壁２に至るような下部傾斜面１４を形成しているものである。上記前壁３は、全体的に見て高さ方向の中央部分が前方に突出するような円弧断面になるように形成されており、その一番前方に位置する高さ方向の中央部分において上記凹溝７が略水平方向に設けられている。上記凹溝７は傾斜面６の外側に伝う雨水を集水する溝であるが、この凹溝７には上記集水された雨水を継手本体１内に排水させる溝排水部が設けられている。この溝排水部は、凹溝７の長手方向の両端部分に設けられた切欠１５と、上記凹溝７のうち前壁３が屈曲する部位に設けられた排水孔８とで構成されている。詳述すると、上記切欠１５及び排水孔８は、断面コ字状の凹溝７を上面壁７ａと後面壁７ｂと下面壁７ｃとで構成したとすると、凹溝７の後面壁７ｂ及び下面壁７ｃをそれぞれ穿設するようにして形成されている。
【００１２】
傾斜面６の外側を流下する雨水は前壁３の屈曲する部分に集中して勢いよく流下するものであるが、上記雨水が集中する部分である前壁３が屈曲する部位の凹溝７には上記凹溝７の集水を継手本体１内に流す排水孔８を形成してあることから、上記集中して流下した雨水は凹溝７内に入るとそのまま排水孔８から継手本体１内に流れるものである（図２，７矢印Ａ）。また、傾斜面６の外側を流下する雨水のうち前壁３の屈曲する部位に集中せずに凹溝７内に集水された雨水にあっては凹溝７を伝うものであるが（図１，２矢印Ｂ）、この凹溝７内に集水された雨水は上記排水孔８及び切欠１５から継手本体１内に流れるものである（図２，７矢印Ａ、図６矢印Ｃ）。このように、本例の軒樋継手にあっては、傾斜面６の外面を流下する雨水を確実に継手本体１内に流すことができるのである。
【００１３】
また、上記傾斜面６のうち前壁３が屈曲する部分には、傾斜面６の上端を前方に位置させるように形成した面取り部１６が設けられている。この面取り部１６は傾斜面６と建物との距離を大きくとることを目的としたものである。つまり、傾斜面６は、正面から見て後壁４を見えなくさせるといった外観的な理由と、建物の屋根から伝う雨水を傾斜面６の内面に当てて継手本体１内に集水させるといった機能的な理由とから設けられているものである。そして、屋根を伝う雨水が集中して勢いよく流下するといった建物の入隅部の前方には、上記傾斜面６の面取り部１６が建物と傾斜面６との距離を大きくしたことから、屋根を伝う集中した雨水が勢いよく屋根の下端から飛び出しても、確実に面取り部１６の内面に上記雨水を当てさせて継手本体１内に集水させるようにしているのである。なお、この面取り部１６は前壁３の屈曲する部分に設けたものであるから、同じく前壁３の屈曲する部分の凹溝７に設けた排水孔８は面取り部１６の下部に位置しているものである。
【００１４】
屋根を伝って傾斜面６の内面に沿って流下する雨水にあっては、傾斜面６の下部にある凹溝７の内面に至って継手本体１内に流下するものである。つまり、凹溝７は継手本体の後方に凹没されて形成されていることから、基本的に凹溝７の上面壁７ａ及び後面壁７ｂの内面を伝って継手本体１内に流下するものである（図６矢印Ｄ）。ここで、建物の入隅部に位置する屋根の谷部にあっては屋根を伝う雨水が集中して勢いよく流下するものであるから、建物の入隅部に位置する面取り部１６の内面では上記雨水が勢いよく当って流下するものである。しかして、面取り部１６の下部に位置した排水孔８にあっては何か工夫をしないと、面取り部１６の内面を勢いよく流下する雨水が継手本体１外である凹溝７に逆流してしまって上記雨水が継手本体１外に飛び出してしまうといった恐れがある。本例では、面取り部１６の内面を勢いよく流下する雨水の排水孔８への逆流を防ぐ手段として、排水孔８の上方位置における前壁３内面から排水孔８の上方を覆う庇片９を一体に突設しているものである。詳述すると、上記庇片９は、凹溝７の内面のうち上面壁７ａと後面壁７ｂとの間の位置から略水平で且つ後方に突設されているのである。しかして、面取り部１６の内面を勢いよく流下する雨水は、凹溝７の上面壁７ａの内面から庇片９の上面に至ると共に庇片９の後端から継手本体１内に流下するものであり（図７矢印Ｅ）、このように庇片９によって屋根を伝って流下する雨水が排水孔８を逆流して継手本体１外に飛び出てしまうことを防止しているのである。なお、この庇片９は継手本体１とは別体で設けてもよいが、継手本体１と一体に樹脂成形してもよく、これによると、別体の庇片９を継手本体１に固着する製造工程を省くことができて軒樋継手の製造性の向上を図ることができるものである。
【００１５】
なお、建物の入隅部に沿って配置される上面視略Ｌ型状の軒樋継手にあっては、屋根の谷部分に集中して落ちる落雪の影響を受けるものであり、そのため軒樋継手の強度の向上が求められるものであるが、本例の軒樋継手においては強度対策をも施してあるものである。つまり、この軒樋継手の強度対策は前壁３の上端及び後壁４の内面にそれぞれ金属線固定孔１７，１８を設けたことにある。これは、図８に示すように、前壁３の上端の金属線固定孔１７に金属線１９の一端を結び付けると共に金属線１９の他端を建物の屋根に結び付けたり、前壁３の上端の金属線固定孔１７と後壁４の内面の金属線固定孔１８とを金属線２０で連結させたりすることで、軒樋継手の前壁３が強固に固定されるものであり、軒樋継手の強度の向上が図られるのである。なお、上記金属線１９，２０としてはたとえば銅線を用いることが好ましい。
【００１６】
【発明の効果】
上記のように本発明の請求項１記載の軒樋継手にあっては、建物の入隅部に沿って配置される上面視略Ｌ字状の軒樋継手であって、底壁と前壁と後壁とを一体にして縦断面略Ｕ字状の継手本体を形成すると共に、継手本体の長手方向の両端に軒樋接続部を設け、前壁の上部に上方に行く程後方に位置する傾斜面を設け、上記傾斜面の下部に傾斜面に伝う雨水を集水する凹溝を前壁外面から後方に凹没させて形成し、上記凹溝のうち前壁が屈曲する部位に上記凹溝の集水を継手本体内に流す排水孔を形成したので、傾斜面の外側を流下する雨水は前壁の屈曲する部分に集中して勢いよく流下するものであるが、上記雨水が集中する部分である前壁が屈曲する部位の凹溝に上記凹溝の集水を継手本体内に流す排水孔を設け、該排水孔は、断面コ字状の凹溝を上面壁と後面壁と下面壁とで構成しており、凹溝の後面壁及び下面壁をそれぞれ穿設するようにして形成したことから、上記集中して流下した雨水は凹溝内に入るとそのまま排水孔から継手本体内に流すことができるものであり、また、傾斜面の外側を流下する雨水のうち前壁の屈曲する部位に集中せずに凹溝内に集水された雨水も上記排水孔や凹溝の長手方向の両端部分から継手本体内に流すことができるものであるから、傾斜面の外面を流下する雨水は確実に継手本体内に流すことができるものであり、軒樋継手からの雨水の漏れを防止できるものである。
【図面の簡単な説明】
【図１】本発明の実施の形態の例の軒樋継手の斜視図である。
【図２】同上の部分拡大図である。
【図３】同上の継手本体内から見た前壁の屈曲する部分の斜視図である。
【図４】同上の軒樋継手の上面図である。
【図５】同上の軒樋継手の側面図である
【図６】図５のＦ部分の拡大図である。
【図７】図４のＧ−Ｇ線断面図である。
【図８】同上の軒樋継手の強度対策を説明する軒樋継手の斜視図である。
【図９】従来技術の例の軒樋継手の斜視図である。
【図１０】従来技術の他例の軒樋継手の斜視図である。
【符号の説明】
１  継手本体
２  底壁
３  前壁
４  後壁
５  軒樋接続部
６  傾斜面
７  凹溝
８  排水孔
９  庇片
【図１】
0003601492.tif 000002
【図２】
0003601492.tif 000003
【図３】
0003601492.tif 000004
【図４】
0003601492.tif 000005
【図５】
0003601492.tif 000006
【図６】
0003601492.tif 000007
【図７】
0003601492.tif 000008
【図８】
0003601492.tif 000009
【図９】
0003601492.tif 000010
【図１０】
0003601492.tif 000011